(57)【特許請求の範囲】
【請求項１】
第一のディジタル信号が格納されるペイロード領域と、前記ペイロード領域の前に配置されて前記第一のディジタル信号の開始を示す開始同期符号が格納される第一のタイミング基準信号格納領域と、前記第一のディジタル信号の終了を示す終了同期符号が挿入される第二のタイミング基準信号格納領域と、前記第二のタイミング基準信号格納領域と前記第一のタイミング基準信号格納領域との間に配置されて第二のディジタル信号が格納される補助信号格納領域と、前記補助信号格納領域の先頭に設けられるヘッダー領域に配置されるラインナンバー格納領域と、前記ヘッダー領域に配置されて前記第一のディジタル信号及び前記第二のディジタル信号の送信先識別符号が格納されるデスティネーションアドレス格納領域と、前記ヘッダー領域に配置されて送信元識別符号が格納されるソースアドレス格納領域と、前記ヘッダー領域に配置されて前記第一のディジタル信号のブロックタイプが格納されるブロックタイプ格納領域と、前記ヘッダー領域に配置されて前記ラインナンバー格納領域と前記デスティネーションアドレス格納領域と前記ソースアドレス格納領域と前記ブロックタイプ格納領域から生成される誤り検出符号が格納される誤り検出符号格納領域とで構成される、ＳＤＩパラレル信号フォーマットと同一の信号フォーマットを持つパラレル信号を生成するパラレル信号生成ステップと、
前記パラレル信号をシリアル信号に変換して前記シリアル信号を送信するシリアル送信ステップと
を有する信号送信方法。
【請求項２】
前記誤り検出符号はＣＲＣ符号である、請求項１記載の信号送信方法。
【請求項３】
前記ペイロード領域に格納される前記ディジタル信号は圧縮されたビデオ信号を含む信号である、請求項１記載の信号送信方法。
【請求項４】
前記ＳＤＩパラレル信号フォーマットはＳＭＰＴＥ−２５９Ｍの定義に従うものである、請求項１記載の信号送信方法。
【発明の詳細な説明】
【技術分野】
【０００１】
本発明は、例えば、信号送信方法に関する。詳しくは、送信元識別符号の変化を検出し、変化した送信元識別符号に基づいて送信信号の切り替えを検出することによって、受信側が送信元を識別するようにしたものである。
【背景技術】
【０００２】
業務用や放送局用ビデオ機器において使用されるビデオ信号のシリアルディジタルインターフェース（ＳＤＩ）の規格としてＳＭＰＴＥ２５９Ｍがある。この規格は、走査線数５２５本／６０フィールド方式と走査線数６２５本／５０フィールド方式のテレビジョン受像機についての４：２：２コンポーネント信号または４ｆscコンポジットディジタル信号の扱いについて規定している。
【０００３】
図１１に従来のＳＤＩ（シリアルディジタルインターフェース）フォーマットを示す。図１１において、先頭部分にはＥＡＶ（エンドオブアクティブビデオ）１３１が設けられる。ＥＡＶ１３１の次に補助信号領域１３２が設けられる。補助信号領域１３２の次にＳＡＶ（スタートオブアクティブビデオ）１３３が設けられる。ＥＡＶ１３１及びＳＡＶ１３３は、それぞれ１６進数信号の（３ＦＦ，０００，０００，ＸＹＺ）h の各ワードにより構成されている。ＥＡＶ１３１、補助信号領域１３２及びＳＡＶ１３３は、走査線数５２５本／６０フィールド方式では２７６ワードからなり、走査線数６２５本／５０フィールド方式では２８８ワードからなる。
【０００４】
ＳＡＶ１３３の次に有効画像信号領域１３４が設けられる。有効画像信号領域１３４で画像信号が伝送される。有効画像信号領域１３４の次にはタイミング基準信号ＥＡＶ１３５が設けられる。画像信号は、各１０ビットにディジタル化された輝度信号Ｙ及び色差信号Ｃｂ，ＣｒがＣｂ，Ｙ，Ｃｒ，Ｙの順に並べられる。有効画像信号領域１３４は、走査線数５２５本／６０フィールド方式及び走査線数６２５本／５０フィールド方式において共に１４４０ワードからなる。従って、ＥＡＶ１３１、補助信号領域１３２及びＳＡＶ１３３に有効画像信号領域１３４を加えた領域は、走査線数５２５本／６０フィールド方式では１７１６ワードからなり、走査線数６２５本／５０フィールド方式では１７２８ワードからなる。
【０００５】
有効画像信号領域１３４の次にはタイミング基準信号ＥＡＶ１３５が付加される。ＥＡＶ１３５は、１６進数信号の（３ＦＦ，０００，０００，ＸＹＺ）h の各ワードにより構成されている。このＳＡＶ１３３及びＥＡＶ１３１、１３５は、水平方向のブランキング期間に挿入される。
【０００６】
まず、このＳＤＩフォーマットのパラレル信号はＬＳＢ先行でパラレル／シリアル変換される。次にスクランブルドＮＲＺＩ信号に変換されることによりチャンネルコーディングされる。そして、２７０Ｍｂｉｔ／ｓｅｃのシリアルディジタルビデオ信号として伝送される。
【０００７】
ＳＤＩフォーマットの信号伝送システムにおいては、シリアルディジタルビデオ信号をワード単位でワード同期をとって伝送する。ところが、ＳＤＩフォーマットの信号伝送システムにおいては、信号切り換え素子によって複数の信号を切り換える場合がある。この信号切り換え素子は、入力信号をそのままシリアル信号のままで切り換えて出力している。信号切り換え素子による信号の切り換えの前後では、信号のワード同期が不連続となるため、切り換え後の信号は同期がとれないため、伝送エラーとなる。このエラーは、次のＥＡＶで信号のワード同期が回復されるまで継続して発生する。
【０００８】
そこで、ＳＤＩフォーマットでは、垂直ブランキング期間で信号を切り換えるようにしている。これによって、信号切り換え時のワードの不連続によって発生する信号エラーが受信側のテレビジョン受像機の画面上に表れないようにしている。
【発明の開示】
【発明が解決しようとする課題】
【０００９】
このように、従来のＳＤＩフォーマットの信号伝送システムにおいては、信号切り換え素子による複数の信号を切り換える前後では、信号のワード同期が不連続となることにより、切り換え後の信号は同期がとれないため、伝送エラーとなり、これを避けるため、垂直ブランキング期間で信号を切り換えるようにしなければならないという不都合があった。
【００１０】
本発明は、かかる点に鑑みてなされたものであり、受信側で信号の切り換えを検出し、信号切り換えによる伝送エラーが発生しないようにする信号送信方法の提供を目的とする。
【課題を解決するための手段】
【００１１】
上記課題を解決するために、本発明の信号送信方法は、第一のディジタル信号が格納されるペイロード領域と、ペイロード領域の前に配置されて第一のディジタル信号の開始を示す開始同期符号が格納される第一のタイミング基準信号格納領域と、第一のディジタル信号の終了を示す終了同期符号が挿入される第二のタイミング基準信号格納領域と、第二のタイミング基準信号格納領域と第一のタイミング基準信号格納領域との間に配置されて第二のディジタル信号が格納される補助信号格納領域と、補助信号格納領域の先頭に設けられるヘッダー領域に配置されるラインナンバー格納領域と、ヘッダー領域に配置されて第一のディジタル信号及び第二のディジタル信号の送信先識別符号が格納されるデスティネーションアドレス格納領域と、ヘッダー領域に配置されて送信元識別符号が格納されるソースアドレス格納領域と、ヘッダー領域に配置されて第一のディジタル信号のブロックタイプが格納されるブロックタイプ格納領域と、ヘッダー領域に配置されてラインナンバー格納領域とデスティネーションアドレス格納領域とソースアドレス格納領域とブロックタイプ格納領域から生成される誤り検出符号が格納される誤り検出符号格納領域とで構成される、ＳＤＩパラレル信号フォーマットと同一の信号フォーマットを持つパラレル信号を生成するパラレル信号生成ステップと、パラレル信号をシリアル信号に変換してシリアル信号を送信するシリアル送信ステップとを有する。
【発明の効果】
【００１５】
本発明によれば、送信元識別符号の変化だけを見ることにより、変化した送信元識別符号に基づいて送信信号の切り替えを検出して、送信元が切り替わったことを検出することができる。
【００１６】
また、本発明によれば、送信元識別符号は、送信信号のヘッダー領域に設けられるようにしたので、送信信号のヘッダー領域を検出するだけで、送信元識別符号の切り替わりを検出することができる。
【００１９】
また、本発明によれば、特定の構成に限らず、送信信号のヘッダー領域を検出するだけで、送信元識別符号の切り替わりを検出することができる。
【発明を実施するための最良の形態】
【００２０】
図８は、本発明の出願人が先に開発したＳＤＤＩフォーマットである。ＳＤＤＩ（シリアルディジタルデータインターフェース）フォーマットは、本発明の出願人が独自に開発したものである。図１１に示したＳＤＩ（シリアルディジタルインターフェース）フォーマットと比較して、有効画像信号領域におけるディジタルデータを伝送するのみならず、ＳＤＤＩは、原画像情報の他に、圧縮符号化された画像情報や音声情報、あるいは制御情報などをも伝送する。
【００２１】
図８において、先頭部分には、ＥＡＶ（エンドオブアクティブビデオ）が設けられる。ＥＡＶの次には補助信号領域が設けられる。補助信号領域の次にはＳＡＶ（スタートオブアクティブビデオ）が設けられる。ＳＡＶ及びＥＡＶは、それぞれ１６進数信号の（３ＦＦ，０００，０００，ＸＹＺ）h の各ワードにより構成されている。ＥＡＶ、補助信号領域及びＳＡＶは、走査線数５２５本／６０フィールド方式では２７６ワードからなり、走査線数６２５本／５０フィールド方式では２８８ワードからなる。
【００２２】
ＳＡＶの次にはペイロード領域８４が設けられる。ペイロード領域８４に圧縮された画像信号が設けられる。画像信号は、映像信号を高能率圧縮符号化処理したディジタルデータである。ペイロード領域の後端部にはＣＲＣＣ（サイクリックリダンダンシーチェックコード）０、ＣＲＣＣ１が設けられる。
【００２３】
ＣＲＣＣ０、ＣＲＣＣ１は、以下のようなものである。通信回線を通して伝送される情報フレームに対して、ある割算を行った結果として得られる剰予項を付加して送信する。受信端で受信信号に対して同様の演算を行って得られる剰予項を、送られてきた剰予項と突き合わせることによって、伝送誤りをチェックする。この割算には生成多項式を用いる。
【００２４】
ペイロード領域８４及びＣＲＣＣ０、ＣＲＣＣ１、８６は、走査線数５２５本／６０フィールド方式及び走査線数６２５本／５０フィールド方式において共に１４４０ワードからなる。
【００２５】
従って、ＥＡＶ８０、補助信号領域８１及びＳＡＶ８２にペイロード領域８４及びＣＲＣＣ０、ＣＲＣＣ１、８６を加えた領域は、走査線数５２５本／６０フィールド方式では１７１６ワードからなり、走査線数６２５本／５０フィールド方式では１７２８ワードからなる。
【００２６】
ここで、特に、この例においては、補助信号領域８１の先頭部分にヘッダー領域８３を設ける。ヘッダー領域８３は送信元識別符号を有し、５３ワードからなる。
【００２７】
ペイロード領域の次にはタイミング基準信号ＥＡＶ８５が付加される。ＥＡＶ８５は、１６進数信号の（３ＦＦ，０００，０００，ＸＹＺ）h の各ワードにより構成されている。このＳＡＶ８２及びＥＡＶ８０、８５は、水平方向のブランキング期間に挿入される。
【００２８】
図９は、本発明の出願人が先に開発したＳＤＤＩフォーマットのヘッダー領域を示す図である。先頭のＡＤＦ（アンシラリーデータフラグ）９０は１６進数信号の（０００，３ＦＦ，３ＦＦ）h の３ワードからなる。ＡＤＦ９０は、補助信号のパケットの開始を示す符号である。データＩＤ９１は、補助信号の中身を示す。例えば、ディジタルオーディオデータ、タイムコード、エラー検出コード、などである。
【００２９】
ブロックナンバー９２は、データパケットの連続性を検出するものである。この例では、８ビットのカウントアップを行い、０〜２５５までの連続性を検出することができる。データカウント９３は、補助信号の中のユーザーデータのワード数をカウントするものである。
【００３０】
ラインナンバー０、ラインナンバー１、９４は、１〜５２５の走査線数を示す。
【００３１】
ＣＲＣＣ０、ＣＲＣＣ１、９５は、ＡＤＦ９０からデータＩＤ９１、ブロックナンバー９２、データカウント９３及びラインナンバー０、ラインナンバー１、９４までの誤りを検出する誤り検出符号である。
【００３２】
デスティネーションアドレス９６は、データの送り先のアドレスを示す。ソースアドレス９７は、データの送り元のアドレスを示す。ソースアドレス９７は、送信元識別符号である。ソースアドレス９７は、例えば、出荷時に各機器にユニークな個別符号を付加する。ソースアドレス９７は、この例においては、１６ワードのデータ領域からなり、１２８ビットのデータ数により構成される。
【００３３】
したがって受信端では、この送信元識別符号を見ることによってその情報がどの機器から送られてきたかを知ることができる。さらに、送信元識別符号は各機器に固有の符号が付与されているので、途中で信号が切り換えられたときには、送信元識別符号も変わってしまう。そこで、受信端で送信元識別符号を抽出し、その変化を検出すれば、信号切り換えを検出することができる。
【００３４】
ブロックタイプ９８は、ペイロード領域８４のブロックタイプを示す。ＣＲＣフラグ９９は、ペイロード領域８４の後端部に設けられたＣＲＣＣ０、ＣＲＣＣ１、８６が有効かどうかを示すフラグである。データスタートポジション１００は、ペイロード領域８４の開始点を示すものである。リザーブ０、リザーブ１、リザーブ２、リザーブ３、１０１は、予備に設けられている。
【００３５】
ＣＲＣＣ０、ＣＲＣＣ１、１０２は、デスティネーションアドレス９６からソースアドレス９７、ブロックタイプ９８、ＣＲＣフラグ９９、データスタートポジション１００、リザーブ０、リザーブ１、リザーブ２、リザーブ３、１０１までの誤りを検出する誤り検出符号である。チェックサム１０３は、データＩＤ９１から・・・ＣＲＣＣ０、ＣＲＣＣ１、１０２までのデータの各桁の合計から転送誤りを検出する。
【００３６】
図１０は、本発明の出願人が先に開発したＳＤＤＩフォーマットのビデオ機器におけるビデオ信号出力部のブロック図である。図１０において、図示しない送信側から伝送ケーブルを介して伝送された信号はＢＮＣコネクタ１１０に供給される。ＢＮＣコネクタ１１０に供給された受信シリアル信号１１６はシリアル／パラレル変換回路１１１に供給される。
【００３７】
シリアル／パラレル変換回路１１１は、２７０［Ｍｂｐｓ］で伝送された受信シリアル信号を波形等化し、シリアルクロックを再生し、スクランブルドＮＲＺＩによりチャンネル符号を復号する。さらにシリアル／パラレル変換回路１１１は、タイミング基準信号（ＥＡＶ／ＳＡＶ）を検出してワード同期を再生し、受信シリアル信号を１０ビットパラレル信号１１７に変換する。
【００３８】
１０ビットパラレル信号１１７の一方は画像情報復号回路１１３、音声情報復号回路１１４及び制御情報受信回路１１５に供給される。画像情報復号回路１１３は１０ビットパラレル信号１１７から圧縮符号化された画像信号を抽出して、この画像信号を復元して再生画像信号１１９を出力する。音声情報復号回路１１４は１０ビットパラレル信号１１７から圧縮符号化された音声信号を抽出して、この音声信号を復元して再生音声信号１２０を出力する。制御情報受信回路１１５は１０ビットパラレル信号１１７から制御情報を抽出して、これに基づいて制御信号１３０を出力する。
【００３９】
１０ビットパラレル信号１１７の他方はヘッダー処理回路１１２に供給される。ヘッダー処理回路１１２はＳＤＤＩフォーマットのヘッダー領域８３の信号の処理を行う。ヘッダー領域８３の信号の処理は、送信元識別符号及び信号切り換え検出信号１１８などの各種信号の出力処理である。ヘッダー処理回路１１２で信号処理を施されたヘッダー領域８３の信号は画像情報復号回路１１３、音声情報復号回路１１４及び制御情報受信回路１１５に供給される。
【００４０】
ここで、ヘッダー処理回路１１２で信号処理を施されたヘッダー領域８３の信号は送信元識別符号及び信号切り換え検出信号１１８である。送信元識別符号とは、図９に示したソースアドレス９７である。
【００４１】
図１０に示したヘッダー処理回路の構成及び動作の例を図１〜図７に詳細に示す。図１は、本発明による送信元識別装置及び送信元識別方法の一実施例のライン単位で信号切換えを検出する構成を示すブロック図である。この例では、ＳＤＤＩフォーマットの送信信号に付加されたヘッダー領域８３の送信元を表す送信元識別符号を受信側でライン単位で検出し、送信元識別符号が変化したときに送信元が切り換わったことを検出する。
【００４２】
図１において、１０ビットパラレル信号６は図１０に示したシリアル／パラレル変換回路１１１からヘッダー処理回路１１２に供給される信号である。１０ビットパラレル信号６の一方はヘッダー検出回路１に供給される。ヘッダー検出回路１は、ＳＤＤＩフォーマットのヘッダー領域８３の開始を示す固定パターンである１６進数信号の（０００，３ＦＦ，３ＦＦ，１４０，１０１）h を検出して、ヘッダー検出パルス７をタイミング発生回路２に供給する。
【００４３】
図３は、本発明による送信元識別装置及び送信元識別方法の一実施例のヘッダー検出回路の回路図である。第１段の１０ビット入力のアンド回路３０にインバーター３０−１，３０−２，３０−３，３０−４，３０−５，３０−６，３０−７，３０−８，３０−９，３０−１０を介して２進数信号の（００００００００００）2 、つまり１６進数信号の（０００）h が供給されたときに、フリップフロップ３０−１１，３０−１２，３０−１３，３０−１４，３０−１５を５段経た後に５入力のアンド回路３４に検出信号が供給される。
【００４４】
第２段の１０ビット入力のアンド回路３１に２進数信号の（１１１１１１１１１１）2 、つまり１６進数信号の（３ＦＦ）h が供給されたときに、フリップフロップ３１−１，３１−２，３１−３，３１−４を３段及び４段経た後に５入力のアンド回路３４に検出信号が供給される。
【００４５】
第３段の１０ビット入力のアンド回路３２にインバーター３２−１，３２−２，３２−３，３２−４，３２−５，３２−６，３２−７，３２−８を介して２進数信号の（０１０１００００００）2 、つまり１６進数信号の（１４０）h が供給されたときに、フリップフロップ３２−９，３２−１０を２段経た後に５入力のアンド回路３４に検出信号が供給される。
【００４６】
第４段の１０ビット入力のアンド回路３３にインバーター３３−１，３３−２，３３−３，３３−４，３３−５，３３−６，３３−７，３３−８を介して２進数信号の（０１００００００１）2 、つまり１６進数信号の（１０１）h が供給されたときに、フリップフロップ３３−９を１段経た後に５入力のアンド回路３４に検出信号が供給される。
【００４７】
このようにして、ＳＤＤＩフォーマットのヘッダーの開始を示す固定パターンである１６進数信号の（０００，３ＦＦ，３ＦＦ，１４０，１０１）h が供給されたときに５入力のアンド回路３４からヘッダー検出パルス７が出力される。
【００４８】
図１に戻って、ヘッダー検出回路で検出されたヘッダー検出パルスは、タイミング発生回路２に供給される。タイミング発生回路２は、例えばカウンターで構成される。タイミング発生回路２は、ヘッダー検出パルスをカウンターがカウントすることにより、送信元識別符号ラッチパルス及びＳＤＤＩフォーマットのヘッダー内の各種情報をラッチするタイミングパルスを発生する。
【００４９】
１０ビットパラレル信号６の他方が送信元識別符号抽出回路３に供給されると共に、送信元識別符号ラッチパルス８が送信元識別符号抽出回路３に供給される。送信元識別符号抽出回路３は、例えばラッチで構成される。送信元識別符号抽出回路３は、送信元識別符号ラッチパルス８をクロックとして、そのときに供給された１０ビットパラレル信号６のデータをラッチする。これにより送信元識別符号抽出回路３は、１６ワード１２８ビットの送信元識別符号９をラッチする。送信元識別符号抽出回路３は、送信元識別符号抽出手段を構成する。
【００５０】
ラッチされた送信元識別符号９は、図示しない機器本体に供給され、信号送信元機器の判別や表示などに使用される。また、送信元識別符号９は、前送信元識別符号保持回路４に供給されると共に、送信元識別符号比較回路５に供給される。前送信元識別符号保持回路４は、例えばラッチで構成される。前送信元識別符号保持回路４は、送信元識別符号ラッチパルス８をクロックとして、送信元識別符号抽出回路３がラッチしていた１ライン前の前送信元識別符号１０をラッチする。前送信元識別符号保持回路４は、送信元識別符号変化検出手段を構成する。
【００５１】
送信元識別符号比較回路５は、送信元識別符号抽出回路３がラッチしていた１ライン前の前送信元識別符号１０と新たに送信元識別符号抽出回路３がラッチした送信元識別符号９とを比較する。
【００５２】
図４は、本発明による送信元識別装置及び送信元識別方法の一実施例の送信元識別符号比較回路の回路図である。図４において、１６ワード１２８ビットの送信元識別符号９及び前送信元識別符号１０とがそれぞれ１２８個のイクスクルーシブオア回路４０−１，４０−２，４０−３，・・・４０−１２８に供給される。１２８個のイクスクルーシブオア回路４０−１，４０−２，４０−３，・・・４０−１２８の出力が１２８入力のオア回路４０に供給される。
【００５３】
これにより、送信元識別符号比較回路５は、送信元識別符号９と前送信元識別符号１０とが一致していないときに、信号が切り換えられたものと判断して、信号切換検出信号１１を出力する。送信元識別符号比較回路５は、送信信号切り替え検出手段を構成する。
【００５４】
図６は、本発明による送信元識別装置及び送信元識別方法の一実施例のライン単位で信切換えを検出する動作を示すタイミングチャートである。図６において、図６Ａは１０ビットパラレル信号、図６Ｂはヘッダー検出パルス、図６Ｃは送信元識別符号ラッチパルス、図６Ｄは送信元識別符号、図６Ｅは前送信元識別符号、図６Ｆは信号切換え検出信号をそれぞれ示す。以下に、信号の切り換えを検出する動作を示す。
【００５５】
図６Ａにおいて、波線の信号切り換え部分６１で１０ビットパラレル信号が信号＃１から信号＃２に切り換えられる。１０ビットパラレル信号の斜線部分はＳＤＤＩフォーマットのヘッダー６０である。ヘッダー６０は、１ライン毎に送られてくる。１０ビットパラレル信号は、図１において示したように、ヘッダー検出回路１及び送信元識別符号抽出回路３に供給される信号である。
【００５６】
図６Ｂにおいて、ＳＤＤＩフォーマットのヘッダー６０を検出することによってヘッダー検出パルスが得られる。ヘッダー検出パルスはＳＤＤＩフォーマットのヘッダー６０の先頭部分に一致して立ち上がり、所定幅を有するパルスである。ヘッダー検出パルスは、図１において示したように、ヘッダー検出回路１から出力される信号である。
【００５７】
図６Ｃにおいて、ヘッダー検出パルスに基づいて、ヘッダー検出パルスより所定期間経過後に送信元識別符号ラッチパルスが得られる。送信元識別符号ラッチパルスは、図１において示したように、タイミング発生回路２によりヘッダー検出パルスがカウントされることにより出力される信号である。
【００５８】
図６Ｄにおいて、波線の信号切り換え部分６１での信号の切り換え後に初めて検出された送信元識別符号ラッチパルスの立ち下がりで、アドレス＃１からアドレス＃２に切り替わる送信元識別符号が得られる。アドレス＃１及びアドレス＃２は信号＃１及び信号＃２の送信元に対応するアドレスである。
【００５９】
図６Ｅにおいて、送信元識別符号の１ライン前の前送信元識別符号が得られる。前送信元識別符号は、図１において示したように、前送信元識別符号保持回路４において送信元識別符号ラッチパルスをクロックとして送信元識別符号をラッチすることにより得られる信号である。
【００６０】
図６Ｆにおいて、波線の信号切り換え部分６１での信号の切換えの後に初めて検出された送信元識別符号ラッチパルスの立ち下がりのタイミングで信号切換え検出信号が得られる。信号切換え検出信号は、送信元識別符号と前送信元識別符号との異なっている期間の幅を持つ信号である。信号切換え検出信号は、図１において示したように、送信元識別符号比較回路５において送信元識別符号と前送信元識別符号と比較することにより得られる信号である。
【００６１】
上例によれば、受信信号のＳＤＤＩフォーマットのヘッダー内に設けられた送信元識別符号を抽出して、送信時に送信信号に付加された送信元を表す送信元識別符号を抽出し、送信元識別符号の変化を検出して、送信時に送信信号に付加された送信元を表す送信元識別符号が異なったことを検出し、変化した送信元識別符号に基づいて送信信号の切り替えを検出することにより、送信元が切り替わったことをライン単位で検出することができる。
【００６２】
図２は、本発明による送信元識別装置及び送信元識別方法の他の実施例のフィールド単位で信号切換えを検出する構成を示すブロック図である。この例では、ＳＤＤＩフォーマットの送信信号に付加されたヘッダー領域の送信元を表す送信元識別符号を受信側でフィールド単位で検出し、送信元識別符号が変化したときに送信元が切り替わったことを検出する。
【００６３】
ＳＤＤＩフォーマットでは信号切り換え位置として、走査線数６２５本／５０フィールド方式ではライン番号６あるいはライン番号３１９、走査線数５２５本／６０フィールド方式では、ライン番号１０あるいはライン番号２７３が予め規定されている。したがってこの信号切り換え位置の直後で送信元識別符号を比較するようにした。
【００６４】
この例においては、図１に示したブロックと同一のものには同じ符号を付して、その詳細な説明を省略して、異なる部分について詳細に説明する。図２において、１０ビットパラレル信号は図１０に示したシリアル／パラレル変換回路１１１からヘッダー処理回路１１２に供給される信号である。１０ビットパラレル信号の一方はヘッダー検出回路１に供給される。ヘッダー検出回路１は、ＳＤＤＩフォーマットのヘッダーの開始を示す固定パターンである１６進数信号の（０００，３ＦＦ，３ＦＦ，１４０，１０１）h を検出して、ヘッダー検出パルス７をタイミング発生回路２に供給する。
【００６５】
ヘッダー検出回路１で検出されたヘッダー検出パルス７は、タイミング発生回路２に供給される。タイミング発生回路２は、例えばカウンターで構成される。タイミング発生回路２は、ヘッダー検出パルス７をカウンターがカウントすることにより、ライン番号ラッチパルス２２及び送信元識別符号タイミングパルス２３などＳＤＤＩフォーマットのヘッダー内の各種情報をラッチするタイミングパルスを発生する。
【００６６】
タイミング発生回路２はライン番号抽出回路２０にライン番号ラッチパルス２２を供給する。また、１０ビットパラレル信号６はライン番号抽出回路２０に供給される。ライン番号抽出回路２０は、ライン番号ラッチパルス２２をクロックとして、１０ビットパラレル信号６をラッチする。これによりライン番号抽出回路２０は、ライン番号信号２４をラッチする。ライン番号抽出回路２０は、例えばラッチにより構成される。
【００６７】
タイミング発生回路２は、送信元識別符号タイミングパルス２３をラインマスク回路２１に供給する。ライン番号抽出回路２０は、ライン番号信号２４をラインマスク回路２１に供給する。
【００６８】
図５は、本発明による送信元識別装置及び送信元識別方法の一実施例のラインマスク回路の回路図である。第１段の１０ビット入力のアンド回路５０にインバーター５０−１，５０−２，５０−３，５０−４，５０−５，５０−６を介して２進数信号の（０１０００１００１１）2 、つまり１０進数信号の（２７５）10が供給されたときに、オア回路５２に検出信号が供給される。
【００６９】
第２段の１０ビット入力のアンド回路５０にインバーター５０−１，５０−２，５０−３，５０−４，５０−５，５０−６，５０−７，５０−８を介して２進数信号の（００００００１１００）2 、つまり１０進数信号の（０１２）10が供給されたときに、オア回路５２に検出信号が供給される。オア回路５２はいずれかの検出信号が供給されたときに、アンド回路５３に検出信号を出力する。アンド回路５３はオア回路５２からの検出信号と送信元識別符号タイミングパルス２３とが共に供給されたときに送信元識別符号ラッチパルス２５を出力する。
【００７０】
このようにすることにより、ラインマスク回路２１は、ライン番号が予め規定された信号切り換え位置の次の次のライン、すなわちライン番号１２あるいはライン番号２７５であるときだけ、送信元識別符号タイミングパルス２３を通過させて、送信元識別符号ラッチパルス２５として出力する。
【００７１】
送信元識別符号ラッチパルス２５は、送信元識別符号抽出回路３及び前送信元識別符号保持回路４に供給される。１０ビットパラレル信号６の他方は送信元識別符号抽出回路３に供給されると共に、送信元識別符号ラッチパルス２５が送信元識別符号抽出回路３に供給される。送信元識別符号抽出回路３は、例えばラッチで構成される。送信元識別符号抽出回路３は、送信元識別符号ラッチパルス２５をクロックとして、そのときに供給された１０ビットパラレル信号６のデータをラッチする。これにより送信元識別符号抽出回路３は、１６ワード１２８ビットの送信元識別符号９をラッチする。
【００７２】
ラッチされた送信元識別符号９は、図示しない機器本体に供給され、信号送信元機器の判別や表示などに使用される。また、送信元識別符号９は、前送信元識別符号保持回路４に供給されると共に、送信元識別符号比較回路５に供給される。前送信元識別符号保持回路４は、例えばラッチで構成される。前送信元識別符号保持回路４は、送信元識別符号ラッチパルス２５をクロックとして、送信元識別符号抽出回路３がラッチしていた１フィールド前の前送信元識別符号１０をラッチする。
【００７３】
送信元識別符号比較回路５は、前送信元識別符号保持回路４の保持している前送信元識別符号１０と新たに送信元識別符号抽出回路３がラッチした送信元識別符号９とを比較する。これにより、送信元識別符号比較回路５は、送信元識別符号９と前送信元識別符号１０とが一致していないときに、信号が切り換えられたものと判断して、信号切換検出信号１１を出力する。
【００７４】
図７は、本発明による送信元識別装置及び送信元識別方法の他実施例のフィールド単位で信号切換えを検出する動作を示すタイミングチャートである。図７において、図７Ａは１０ビットパラレル信号、図７Ｂはヘッダー検出パルス、図７Ｃはライン番号ラッチパルス、図７Ｄは送信元識別符号タイミングパルス、図７Ｅはライン番号信号、図７Ｆは送信元識別符号ラッチパルス、図７Ｇは送信元識別符号、図７Ｈは前送信元識別符号、図７Ｉは信号切換え検出信号をそれぞれ示す。以下に、信号の切り換えを検出する動作を示す。
【００７５】
図７Ａにおいて、波線の信号切り換え部分７１で１０ビットパラレル信号が信号＃１から信号＃２に切り換えられる。１０ビットパラレル信号の斜線部分はＳＤＤＩフォーマットのヘッダーである。ヘッダーは、１ライン毎に送られてくる。１０ビットパラレル信号は、図２において示したように、ヘッダー検出回路１、ライン番号抽出回路２０及び送信元識別符号抽出回路３に供給される信号である。
【００７６】
図７Ｂにおいて、ＳＤＤＩフォーマットのヘッダーを検出することによってヘッダー検出パルスが得られる。ヘッダー検出パルスはＳＤＤＩフォーマットのヘッダーの先頭部分に一致して立ち上がり、所定幅を有するパルスである。ヘッダー検出パルスは、図２において示したように、ヘッダー検出回路１から出力される信号である。
【００７７】
図７Ｃにおいて、ヘッダー検出パルスに基づいて、ヘッダー検出パルスより所定期間経過後にライン番号ラッチパルスが得られる。ライン番号ラッチパルスは、図２において示したように、タイミング発生回路２によりヘッダー検出パルスがカウントされることにより出力される信号である。
【００７８】
図７Ｄにおいて、ヘッダー検出パルスに基づいて、ヘッダー検出パルスより所定期間経過後に送信元識別符号タイミングパルスが得られる。送信元識別符号タイミングパルスは、図２において示したように、タイミング発生回路２によりヘッダー検出パルスがカウントされることにより出力される信号である。
【００７９】
図７Ｅにおいて、ライン番号ラッチパルスの立ち下がりから次のライン番号ラッチパルスの立ち下がりまでを１ライン分とするライン番号信号が得られる。ライン番号信号は、図２において示したように、ライン番号抽出回路２０によりライン番号ラッチパルスをクロックとして、１０ビットパラレル信号をラッチすることにより得られる信号である。
【００８０】
図７Ｆにおいて、ライン番号が、規定された信号切り換え位置７１、７２の次の次のライン、すなわちライン番号２７５あるいはライン番号１２であるときだけ、ゲートを開いて送信元識別符号タイミングパルスを通過させることにより送信元識別符号ラッチパルスが得られる。送信元識別符号ラッチパルスは、図２において示したように、ラインマスク回路２１によりライン番号信号がライン番号１２あるいはライン番号２７５であるときだけ送信元識別符号タイミングパルスを通過させることにより得られる信号である。
【００８１】
図７Ｇにおいて、信号切り換え部分７１の信号の切り換え後に初めて検出された送信元識別符号ラッチパルスの立ち下がりで、アドレス＃１からアドレス＃２に切り替わる送信元識別符号が得られる。アドレス＃１及びアドレス＃２は信号＃１及び信号＃２の送信元に対応するアドレスである。
【００８２】
図７Ｈにおいて、送信元識別符号の１フィールド前の前送信元識別符号が得られる。前送信元識別符号は、送信元識別符号は、図２において示したように、前送信元識別符号保持回路４において送信元識別符号ラッチパルスをクロックとして送信元識別符号をラッチすることにより得られる信号である。
【００８３】
図７Ｉにおいて、信号の切換えの後に初めて検出された送信元識別符号ラッチパルスの立ち下がりのタイミングで信号切換え検出信号が得られる。信号切換え検出信号は、送信元識別符号と前送信元識別符号との異なっている期間の幅を持つ信号である。信号切換え検出信号は、図２において示したように、送信元識別符号比較回路５において送信元識別符号９と前送信元識別符号１０と比較することにより得られる信号である。
【００８４】
上例によれば、受信信号のＳＤＤＩフォーマットのヘッダー内に設けられた送信元識別符号を抽出して、送信時に送信信号に付加された送信元を表す送信元識別符号を抽出し、送信元識別符号の変化を検出して、送信時に送信信号に付加された送信元を表す送信元識別符号が異なったことを検出し、変化した送信元識別符号に基づいて送信信号の切り替えを検出することにより、送信元が切り替わったことをフィールド単位で検出することができる。
【００８５】
上例において、送信元識別符号９は、送信信号のＳＤＤＩフォーマットのヘッダー領域８３に設けられるようにしたので、送信信号のＳＤＤＩフォーマットのヘッダー領域８３を検出するだけで、送信元識別符号９の切り替わりを検出することができる。
【００８６】
また、上例において、送信元識別符号抽出回路３、前送信元識別符号保持回路４及び送信元識別符号比較回路５は、受信信号を復号処理する画像情報復号回路１１３、音声情報復号回路１１４及び制御情報復号回路１１５の前段に設けられるようにしたので、送信元識別符号抽出回路３、前送信元識別符号保持回路４及び送信元識別符号比較回路５における信号切り換え検出信号１１に基づいて、画像情報復号回路１１３、音声情報復号回路１１４及び制御情報復号回路１１５において、画像情報、音声情報及び制御情報に対して各種制御をすることができる。
【００８７】
また、上例において、送信元識別符号変化検出手段は、送信元識別符号抽出回路３において抽出された送信元識別符号９に対して１フレームまたは１フィールド前の前送信元識別符号１０を保持する前送信元識別符号保持回路４であり、送信信号切り替え検出手段は、送信元識別符号抽出回路３において抽出された送信元識別符号９と前送信元識別符号保持回路４において保持された前送信元識別符号１０とを比較するようにした送信元識別符号比較回路５である。これによれば、前送信元識別符号１０を保持し、送信元識別符号９と前送信元識別符号１０とを比較することにより、送信信号の切り換わりを検出することができる。
【００８８】
また、上例において、伝送路の送信端において、送信信号に送信元識別符号９を付加し、伝送路の受信端において、送信元識別符号９を抽出し、受信端において抽出した送信元識別符号９の変化を検出し、変化した送信元識別符号９に基づいて送信信号の切り替えを検出する送信元識別方法により、上例で示した回路構成に限らず、送信信号の切り換わりを検出することができる。
【００８９】
また、画像情報の圧縮符号化においては、前後のフィールドまたはフレーム間の相関を利用して圧縮を行う場合が多い。このとき画像情報は、複数のフィールド間にまたがって符号化されている。この画像情報を途中で切り換えると、それ以降のフィールドでは再生画像が破壊されてしまう。そこで、画像の圧縮符号化においては、画像再生回路を初期化するために、一定の周期、例えば２フレームで圧縮符号化を完成させるようにしても良い。このようにすることにより、回路起動時あるいは何らかの原因で圧縮符号データが破壊されたときも、符号完結周期の後にはまた、正常な再生画像を得ることができる。
【００９０】
また、画像情報復号回路１１３では、圧縮復号化された画像情報を受信中に信号切り換えを検出した場合には、切り換え検出フィールド以降の再生画像を破棄し、切り換え直前のフィールドの再生画像を出力し続けるようにしても良い。このようにすることにより、破壊された再生画像の出力を防止し、フリーズ画像を出力することができる。そして、次の符号完結周期からまた、正常な再生画像を出力することによって、信号切り換えによる再生画像の破綻を防止することができる。
【００９１】
また、音声情報の圧縮符号化においては、前後のサンプル間の相関を利用して圧縮を行う場合が多い。このとき音声情報は、複数のフィールドにまたがって符号化されている。この音声情報を途中で切り換えると、それ以降のサンプルでは再生音声が破壊されてしまう。音声の圧縮符号化においては、音声再生回路を初期化するために、一定の周期、例えば２フレームで圧縮符号を完結させるようにしても良い。このようにすることにより、回路起動時あるいは何らかの原因で圧縮符号データが破壊されたときも、符号完結周期の後にはまた、正常な再生音声を得ることができる。
【００９２】
また、音声情報復号回路１１４では、圧縮符号化された音声情報を受信中に信号切り換えを検出した場合には、切り換え検出サンプル以降の再生音声を消音（ミュート）するようにしても良い。このようにすることにより、破壊された再生音声の出力を防止する。そして、次の符号完結周期の後にはまた、正常な再生音声を出力することによって、信号切り換えによる再生音声の破綻を防止することができる。
【００９３】
また、制御信号のデータを途中で切り換えると、受信された制御信号が誤ったものとなる。その誤った制御信号をそのまま使用すると、システムが誤動作してしまう。そこで、制御情報を受信中に信号切り換えを検出したときには、受信制御情報を棄却し、以前の状態を保持するようにしても良い。このようにすることにより、システムが誤動作することを防ぐことができる。
【００９４】
また、上例では、走査線数５２５本／６０フィールド方式の同期におけるＳＤＤＩフォーマットのシステムに関して説明したが、走査線数６２５本／５０フィールド方式などの他の同期におけるＳＤＤＩフォーマットのシステムにも同様に適用することができる。
【００９５】
また、上例では、同軸ケーブルを用いたデータ伝送に関して説明したが、光ファイバーや無線通信など、他の伝送システムにも同様に適用することができる。
【００９６】
上述したように、送信元識別符号は、すでにＳＤＤＩフォーマットのヘッダー内にフォーマットとして規定されているものである。図示しない送信側での送信元識別符号付加回路、あるいは受信側での送信元識別符号抽出回路３は、どちらもすでに本発明の出願人が先に開発したＳＤＤＩフォーマットの送受信システムでは具備されている。したがって、送信側で新たな情報を付加することなく、同じく送信側で新たな回路を追加することなく、受信側で単純な比較回路を付加することにより、信頼度の高い信号切り換え検出をすることができる。
【００９７】
また、伝送信号が画像情報である場合には、信号切り換え検出信号に基づいて画像をフリーズするようにしても良い。このようにすることにより、信号切り換えによる再生画像の破綻を防止することができる。
【００９８】
また、伝送信号が音声信号である場合には、信号切り換え検出信号に基づいて音声を消音するようにしても良い。このようにすることにより、信号切り換えによる再生音声の破綻を防止することができる。
【００９９】
また、伝送信号が制御情報である場合には、信号切り換え検出信号に基づいて受信制御情報を棄却し、以前の状態を保持するようにしても良い。このようにすることにより、信号切り換えによるシステムの誤動作を防止することができる。
【図面の簡単な説明】
【０１００】
【図１】本発明の送信元識別装置及び送信元識別方法の一実施例のライン単位で信号切り換えを検出する構成を示すブロック図である。
【図２】本発明の送信元識別装置及び送信元識別方法の他の実施例のフィールド単位で信号切り換えを検出する構成を示すブロック図である。
【図３】本発明の送信元識別装置及び送信元識別方法の一実施例のヘッダー検出回路の回路図である。
【図４】本発明の送信元識別装置及び送信元識別方法の一実施例の送信元識別符号比較回路の回路図である。
【図５】本発明の送信元識別装置及び送信元識別方法の一実施例のラインマスク回路の回路図である。
【図６】本発明の送信元識別装置及び送信元識別方法の一実施例のライン単位で信号切り換えを検出する動作を示すタイミングチャートである。
【図７】本発明の送信元識別装置及び送信元識別方法の他の実施例のフィールド単位で信号切り換えを検出する動作を示すタイミングチャートである。
【図８】本発明の出願人が先に開発したＳＤＤＩフォーマットを示す図である。
【図９】本発明の出願人が先に開発したＳＤＤＩフォーマットのヘッダー領域を示す図である。
【図１０】本発明の出願人が先に開発したＳＤＤＩフォーマットのビデオ機器におけるビデオ信号出力部のブロック図である。
【図１１】従来のＳＤＩフォーマットを示す図である。
【符号の説明】
【０１０１】
１…ヘッダー検出回路、２…タイミング発生回路、３…送信元識別符号抽出回路、４…前送信元識別符号保持回路、５…送信元識別符号比較回路、６…１０ビットパラレル信号、７…ヘッダー検出パルス、８…送信元識別符号ラッチパルス、９…送信元識別符号、１０…前送信元識別符号、１１…信号切り換え検出信号、２０…ライン番号抽出回路、２１…ラインマスク回路、２２…ライン番号ラッチパルス、２３…送信元識別符号タイミングパルス、２４…ライン番号信号、２５…送信元識別符号ラッチパルス、８３…ヘッダー領域、９７…ソースアドレス、１１２…ヘッダー処理回路、１１３…画像情報復号回路、１１４…音声情報復号回路、１１５…制御情報受信回路
【図１】
0004483844.tif 000002
【図２】
0004483844.tif 000003
【図３】
0004483844.tif 000004
【図４】
0004483844.tif 000005
【図５】
0004483844.tif 000006
【図６】
0004483844.tif 000007
【図７】
0004483844.tif 000008
【図８】
0004483844.tif 000009
【図９】
0004483844.tif 000010
【図１０】
0004483844.tif 000011
【図１１】
0004483844.tif 000012